【手続補正書】
【提出日】平成26年11月7日(2014.11.7)
【手続補正１】
【補正対象書類名】特許請求の範囲
【補正対象項目名】請求項１
【補正方法】変更
【補正の内容】
【請求項１】
式Ｉ
【化１】
2014506374.tif 000001
式中
Ｒ１、Ｒ２、Ｒ３は互いに独立して、
１〜２０個のＣ原子を有する直鎖のまたは分枝のアルキル、これは少なくとも１個のＲにより置換されていることができる、
６〜１０個のＣ原子を有するアリール、これは少なくとも１個のＲにより置換されていることができる、であり、
あるいはＲ１、Ｒ２およびＲ３は縮合して、１、２または３個のＮ原子あるいは１個のＮ原子および１個のＳまたは１個のＯ原子が存在し、少なくとも１個のＲにより置換されていることができる複素芳香環構造を形成し、
あるいはＲ１およびＲ２は縮合して、１、２または３個のＮ原子あるいは１個のＮ原子および１個のＳまたは１個のＯ原子が存在し、少なくとも１個のＲにより置換されていることができる複素脂環式構造を形成し、およびＲ３は１〜２０個のＣ原子を有する直鎖のまたは分枝のアルキルであるか、あるいは縮合して少なくとも１個のＮ原子を含有する三環構造を形成し、およびここで複素脂環式構造または三環構造の第２のまたは第３のＮ原子は−Ｏ−および１〜２０個のＣ原子を有する直鎖のまたは分枝のアルキルにより置換されていてもよく、
および
Ｒは独立して、
Ｈａｌ、
ＣＮ、
Ｃ（Ｏ）Ｈ、
１〜２０個のＣ原子を有する直鎖のまたは分枝のアルキル、これは５〜６個のＣ原子を有するシクロアルキルによりまたは６〜１０個のＣ原子を有するアリールにより置換されていることができ、ここで該アリール基は１〜４個のＣ原子を有する直鎖のまたは分枝のアルキル基またはアルコキシ基によりあるいは５または６個のＣ原子を有するヘテロアリールにより置換されていてもよい、
２〜２０個のＣ原子を有する直鎖のまたは分枝のアルケニル、これは６〜１０個のＣ原子を有するアリールにより置換されていることができ、ここで該アリール基は１〜４個のＣ原子を有する直鎖のまたは分枝のアルキル基により置換されていてもよい、
５または６個のＣ原子を有するシクロアルキル、
１〜２０個のＣ原子を有する直鎖のまたは分枝のヒドロキシアルキル、
１〜２０個のＣ原子を有する直鎖のまたは分枝のアルコキシ、これは６〜１０個のＣ原子を有するアリールにより置換されていることができる、
１〜２０個のＣ原子を有する直鎖のまたは分枝のアルキルチオ、
６〜１０個のＣ原子を有するアリール、ここで該アリール基は１〜４個のＣ原子を有する直鎖のまたは分枝のアルキル基またはアルコキシ基によりあるいは５または６個のＣ原子を有するヘテロアリールにより置換されていてもよい、
５〜１０個のＣ原子を有するヘテロアリール、ここで該ヘテロアリール基のＮ原子は−Ｏ−により置換されていてもよい、
６〜１０個のＣ原子を有するアリールオキシ、
６〜１０個のＣ原子を有するアリールチオ、
１〜２０個のＣ原子を有する直鎖のまたは分枝のアルキルアミノまたはジアルキルアミノであり、
Ｈａｌは、Ｆ、Ｃｌ、ＢｒまたはＩである、
で表される少なくとも１種の化合物、あるいはその全ての互変異性体または立体異性体の、色素増感太陽電池における添加剤としての使用。
【手続補正２】
【補正対象書類名】特許請求の範囲
【補正対象項目名】請求項９
【補正方法】変更
【補正の内容】
【請求項９】
式ＩＩｄ
【化４】
2014506374.tif 000002
式中、Ｒ’はＨであり、ＲＸは独立して６〜２０個のＣ原子を有する直鎖のまたは分枝のアルキルあるいは１〜２０個のＣ原子を有する直鎖のまたは分枝のアルキルであり、これは５〜６個のＣ原子を有するシクロアルキルまたは６〜１０個のＣ原子を有するアリールで置換され、ここで該アリール基は１〜４個のＣ原子を有する直鎖のまたは分枝のアルキル基またはアルコキシ基によりあるいは５または６個のＣ原子を有するヘテロアリールにより置換されていることができる、但しフェニルメチルはＲｘに対して除外されている、
で表される化合物。
【手続補正３】
【補正対象書類名】明細書
【補正対象項目名】００２０
【補正方法】変更
【補正の内容】
【００２０】
Ｒは独立して、Ｈａｌ、ＣＮ、Ｃ（Ｏ）Ｈ、１〜２０個のＣ原子を有する直鎖のまたは分枝のアルキル、これは５〜６個のＣ原子を有するシクロアルキルによりまたは６〜１０個のＣ原子を有するアリールにより置換されていることができ、ここで該アリール基は１〜４個のＣ原子を有する直鎖のまたは分枝のアルキル基またはアルコキシ基によりあるいは５または６個のＣ原子を有するヘテロアリールにより置換されていてもよい、２〜２０個のＣ原子を有する直鎖のまたは分枝のアルケニル、これは６〜１０個のＣ原子を有するアリールにより置換されていることができ、ここで該アリール基は１〜４個のＣ原子を有する直鎖のまたは分枝のアルキル基により置換されていてもよい、５または６個のＣ原子を有するシクロアルキル、１〜２０個のＣ原子を有する直鎖のまたは分枝のヒドロキシアルキル、１〜２０個のＣ原子を有する直鎖のまたは分枝のアルコキシ、これは６〜１０個のＣ原子を有するアリールにより置換されていることができる、１〜２０個のＣ原子を有する直鎖のまたは分枝のアルキルチオ、６〜１０個のＣ原子を有するアリール、ここで該アリール基は１〜４個のＣ原子を有する直鎖のまたは分枝のアルキル基またはアルコキシ基によりあるいは５または６個のＣ原子を有するヘテロアリールにより置換されていてもよい、５〜１０個のＣ原子を有するヘテロアリール、ここで該ヘテロアリール基のＮ原子は−Ｏ−により置換されていてもよい、６〜１０個のＣ原子を有するアリールオキシ、６〜１０個のＣ原子を有するアリールチオ、１〜２０個のＣ原子を有する直鎖のまたは分枝のアルキルアミノまたはジアルキルアミノであり、
【手続補正４】
【補正対象書類名】明細書
【補正対象項目名】００３５
【補正方法】変更
【補正の内容】
【００３５】
Ｒは独立して、Ｈａｌ、ＣＮ、Ｃ（Ｏ）Ｈ、１〜２０個のＣ原子を有する直鎖のまたは分枝のアルキル、これは５〜６個のＣ原子を有するシクロアルキルによりまたは６〜１０個のＣ原子を有するアリールにより置換されていることができ、ここで該アリール基は１〜４個のＣ原子を有する直鎖のまたは分枝のアルキル基またはアルコキシ基によりあるいは５または６個のＣ原子を有するヘテロアリールにより置換されていてもよい、２〜２０個のＣ原子を有する直鎖のまたは分枝のアルケニル、これは６〜１０個のＣ原子を有するアリールにより置換されていることができ、ここで該アリール基は１〜４個のＣ原子を有する直鎖のまたは分枝のアルキル基により置換されていてもよい、５または６個のＣ原子を有するシクロアルキル、１〜２０個のＣ原子を有する直鎖のまたは分枝のヒドロキシアルキル、１〜２０個のＣ原子を有する直鎖のまたは分枝のアルコキシ、これは６〜１０個のＣ原子を有するアリールにより置換されていることができる、１〜２０個のＣ原子を有する直鎖のまたは分枝のアルキルチオ、６〜１０個のＣ原子を有するアリール、ここで該アリール基は１〜４個のＣ原子を有する直鎖のまたは分枝のアルキル基またはアルコキシ基によりまたは５または６個のＣ原子を有するヘテロアリールにより置換されていてもよい、５〜１０個のＣ原子を有するヘテロアリール、ここで該ヘテロアリール基のＮ原子は−Ｏ−により置換されていてもよい、６〜１０個のＣ原子を有するアリールオキシ、６〜１０個のＣ原子を有するアリールチオ、１〜２０個のＣ原子を有する直鎖のまたは分枝のアルキルアミノまたはジアルキルアミノであり、ここでＨａｌはＦ、Ｃｌ、ＢｒまたはＩである。
Ｈａｌは好ましくは、Ｆ、ＣｌまたはＩである。
【手続補正５】
【補正対象書類名】明細書
【補正対象項目名】００４５
【補正方法】変更
【補正の内容】
【００４５】
本発明の１つの好ましい態様において、式中、
Ｒ１、Ｒ２およびＲ３は、互いに独立して、１〜２０個のＣ原子を有する直鎖のまたは分枝のアルキル、好ましくは１〜９個のＣ原子を有する直鎖のまたは分枝のアルキル、特に好ましくはメチルまたはノニルであり、あるいは、
式中、Ｒ１、Ｒ２およびＲ３は縮合して、少なくとも１個のＲにより置換されていることができる、１、２または３個のＮ原子あるいは１個のＮおよび１個のＳまたは１個のＯ原子が存在する複素芳香環構造を形成し、好ましくは、少なくとも１個のＲにより置換されていることができる、１または２個のＮ原子が存在する複素芳香環構造を形成し、
あるいは、Ｒ１およびＲ２は縮合して、少なくとも１個のＲにより置換されていることができる、１、２または３個のＮ原子あるいは１個のＮ原子および１個のＳまたは１個のＯ原子が存在する複素脂環式構造を形成し、およびＲ３は１〜２０個のＣ原子を有する直鎖のまたは分枝のアルキルであり、好ましくはＲ１およびＲ２は縮合して、少なくとも１個のＲにより置換されていることができる、１または２個のＮ原子あるいは１個のＮ原子および１個のＯ原子が存在する複素脂環式構造を形成し、およびＲ３は１〜４個のＣ原子を有する直鎖のまたは分枝のアルキルであり、
およびＲが上で定義される意味を有する、または下で定義される好ましい意味を有する式Ｉで表される化合物が、本発明により使用されうる。
【手続補正６】
【補正対象書類名】明細書
【補正対象項目名】００４６
【補正方法】変更
【補正の内容】
【００４６】
Ｒは独立して、好ましくは、１〜２０個のＣ原子を有する直鎖のまたは分枝のアルキル、これは５〜６個のＣ原子を有するシクロアルキルまたは６〜１０個のＣ原子を有するアリール、ここで該アリール基は１〜４個のＣ原子を有する直鎖のまたは分枝のアルキル基によりあるいは５または６個のＣ原子を有するヘテロアリールにより置換されててもよく、２〜２０個のＣ原子を有する直鎖のまたは分枝のアルケニル、これは６〜１０個のＣ原子を有するアリールにより置換されていることができ、ここで該アリール基は１〜４個のＣ原子を有する直鎖のまたは分枝のアルキル基により置換されていてもよい、６〜１０個のＣ原子を有するアリール、ここで該アリール基は１〜４個のＣ原子を有する直鎖のまたは分枝のアルキル基またはアルコキシ基により、あるいは５または６個のＣ原子を有するヘテロアリールにより置換されていてもよい、あるいは１〜２０個のＣ原子を有するジアルキルアミノである。
【手続補正７】
【補正対象書類名】明細書
【補正対象項目名】００５３
【補正方法】変更
【補正の内容】
【００５３】
式中、Ｒ’がＨであり、およびＲｘが独立してＨ、１〜２０個のＣ原子を有する直鎖のまたは分枝のアルキルであり、これは５〜６個のＣ原子を有するシクロアルキルまたは６〜１０個のＣ原子を有するアリールにより、ここで該アリール基は１〜４個のＣ原子を有する直鎖のまたは分枝のアルキル基またはアルコキシ基により置換されていることができ、あるいは５〜６個のＣ原子を有するヘテロアリールにより置換されていることができる、式ＩＩｃで表される化合物が好ましい。式ＩＩｃ内において、Ｒｘは好ましくはＨ、１〜９個のＣ原子を有する直鎖のまたは分枝のアルキル、これはシクロヘキシルまたはフェニルにより置換されていることができ、ここで該フェニル基は１〜４個のＣ原子を有する直鎖のまたは分枝のアルキル基またはアルコキシ基により置換されていてもよい、であり；Ｒｘは特に好ましくは、Ｈ、メチル、ｔｅｒｔ．−ブチル、ｎ−ヘプチル、フェニルメチル、メトキシフェニルメチル、２−フェニルプロピルまたはシクロヘキシルメチルである。
【手続補正８】
【補正対象書類名】明細書
【補正対象項目名】００６５
【補正方法】変更
【補正の内容】
【００６５】
上に記載されるまたは好ましく記載される、本発明の添加剤を含む本発明による電解質処方物は、色素増感太陽電池に対する電解質処方物の分野において既知の電解質処方物に対する代替物または改良物である。本発明の添加剤を使用する場合、かかる電解質処方物は、同等のまたは増加した電力変換効率を示し、現行の既知の添加剤、例えばｔｅｒｔ−ブチル−ピリジンの不利を回避する。上に記載されるまたは好ましく記載される式Ｉで表される本発明の添加剤は、開回路電圧（ＶＯＣ）、およびそれゆえ上に定義される色素増感太陽電池の電力変換効率を増加させる。